(57)【要約】【課題】  使用条件に合わせて負荷を制御する制御要素の追加や削除が容易に行える連用配線器具用組合せモジュールを提供することである。【解決手段】  連用配線器具用組合せモジュールは、第１の連用配線器具用モジュール１３ａと第２の連用配線器具用モジュール１３ｂとを組み合わせて形成され、第１の連用配線器具用モジュール１３ａは、商用交流電源を直流電源に変換するコンバータからの直流電源を取り出すためのコネクタを上面部または下面部に有し、商用交流電源または直流電源から負荷に電源を供給する。第２の連用配線器具用モジュール１３ｂは、第１の連用配線器具用モジュールのコネクタに着脱可能に接続されるコネクタを上面部または下面部に有し、コネクタから直流電源が供給され負荷への電源供給を制御するための制御要素を有する。【選択図】  図１
2006230107.tif 000002
【特許請求の範囲】
【請求項１】
連用配線器具のサポートに取り付けられ、商用交流電源を直流電源に変換するコンバータを内蔵し、コンバータからの直流電源を取り出すためのコネクタを上面部または下面部に有し、前記商用交流電源または前記直流電源から電源が供給されて動作する負荷を備えた第１の連用配線器具用モジュールと；
前記第１の連用配線器具用モジュールのコネクタに着脱可能に接続されるコネクタを上面部または下面部に有し、前記コネクタから直流電源が供給され前記負荷を制御するための制御要素を有した第２の連用配線器具用モジュールと；
を備えたことを特徴とする連用配線器具用組合せモジュール。
【請求項２】
連用配線器具のサポートに取り付けられるモジュール本体と；
前記モジュール本体に設けられ商用交流電源を直流電源に変換するコンバータと；
前記モジュール本体の上面または下面に設けられ前記コンバータの直流電源を取り出すコネクタと；
を備え、前記商用交流電源または前記直流電源から負荷に電源を供給することを特徴とする連用配線器具用モジュール。
【請求項３】
連用配線器具のサポートに取り付けられるモジュール本体と；
前記モジュール本体の上面または下面に設けられたコネクタと；
前記コネクタを介して入力される直流電源により動作可能状態となる制御要素と；
を備えたことを特徴とする連用配線器具用モジュール。
【請求項４】
連用配線器具のサポートに取り付けられ、商用交流電源を直流電源に変換するコンバータを内蔵し、コンバータからの直流電源を取り出すためのコネクタを上面部または下面部に有し、前記直流電源から光源に電源を供給する足元灯モジュールと；
前記足元灯モジュールのコネクタに着脱可能に接続されるコネクタを上面部または下面部に有し、前記コネクタから直流電源が供給され前記足元灯モジュールの光源への電源供給をオンオフ制御する照度センサモジュールと；
を備えたことを特徴とする足元灯装置。
【発明の詳細な説明】
【技術分野】
【０００１】
本発明は、連用配線器具のサポートに装着される連用配線器具用組合せモジュール、連用配線器具用モジュール及び足元灯装置に関する。
【背景技術】
【０００２】
壁面に埋め込んで使用する連用配線器具は、数個の連用配線器具用モジュールを連続的に装着できるようにしたものであり、数個の連用配線器具用モジュールが１列である１連の連用配線器具、数個の連用配線器具用モジュールが２列の２連の連用配線器具、数個の連用配線器具用モジュールが３列の３連の連用配線器具等がある。
【０００３】
連用配線器具には、各種の連用配線器具用モジュールが装着されて足元灯装置や保安灯装置を形成している。例えば、足元灯装置は連用配線器具のサポートに連用配線器具用モジュールである足元灯を装着して形成されている。また、連用配線器具のサポートに連用配線器具用モジュールである足元灯及び照度センサの双方を装着し、照度センサで検出した周囲の照度に応じて足元灯を点消灯させるようにした照度センサ付足元灯装置もある。このように、足元灯装置は照度センサ無しの単独商品と照度センサ付の単独製品とがそれぞれ製品化されている。
【発明の開示】
【発明が解決しようとする課題】
【０００４】
ところが、従来の足元灯装置では、照度センサ無しの足元灯装置と照度センサ付足元灯装置とはそれぞれ単独商品であり、例えば、照度センサ無しの足元灯装置に後付けで照度センサを追加することができない。また、照度センサ付足元灯装置から照度センサを取り外すことができない。
【０００５】
すなわち、照度センサ無しの足元灯装置は連用配線器具のサポートに足元灯が一体的に取り付けられているので、そのサポートに後付けで照度センサを追加することができず、照度センサ付足元灯装置にするためには、足元灯及び照度センサの双方が取り付けられたサポートごとの取り換えとなる。同様に、照度センサ付足元灯装置を照度センサ無しの足元灯装置にするためには、足元灯だけが取り付けられたサポートへの取り換えとなる。
【０００６】
このように、連用配線器具に装着される連用配線器具用モジュールは、使用目的に応じて連用配線器具のサポートに１個または数個の連用配線器具用モジュールを予め一体的に取り付けているので、使用条件に合わせて負荷（例えば足元灯）を制御する制御要素（例えば照度センサ）の追加や削除が容易に行えない。
【０００７】
本発明の目的は、使用条件に合わせて負荷を制御する制御要素の追加や削除が容易に行える連用配線器具用組合せモジュール、連用配線器具用モジュール及び足元灯装置を提供することである。
【課題を解決するための手段】
【０００８】
請求項１の発明に係わる連用配線器具用組合せモジュールは、連用配線器具のサポートに取り付けられ、商用交流電源を直流電源に変換するコンバータを内蔵し、コンバータからの直流電源を取り出すためのコネクタを上面部または下面部に有し、前記商用交流電源または前記直流電源から電源が供給されて動作する負荷を備えた第１の連用配線器具用モジュールと；前記第１の連用配線器具用モジュールのコネクタに着脱可能に接続されるコネクタを上面部または下面部に有し、前記コネクタから直流電源が供給され前記負荷を制御するための制御要素を有した第２の連用配線器具用モジュールと；を備えたことを特徴とする。
【０００９】
本発明および以下の発明において、特に指定しない限り用語の定義および技術的意味は以下による。連用配線器具はサポートを有し、連用配線器具のサポートは壁面に取り付けられる。そして、連用配線器具のサポートに数個の連用配線器具用モジュールが連続的に壁面に埋め込まれて装着される。さらに、連用配線器具用モジュールが取り付けられた正面部以外の連用配線器具のサポートの前面を前面パネルで覆って形成される。連用配線器具には、数個の連用配線器具用モジュールが１列である１連の連用配線器具だけでなく、複数列の複数連の連用配線器具も含まれる。
【００１０】
連用配線器具用組合せモジュールは、第１の連用配線器具用モジュールと第２の連用配線器具用モジュールとを組み合わせて形成されるモジュールである。
【００１１】
第１の連用配線器具用モジュールは、商用交流電源を直流電源に変換するコンバータを内蔵し、コンバータからの直流電源を取り出すためのコネクタを有する。コネクタは例えば雌型コネクタでありモジュール本体の上面部または下面部に設けられる。また、負荷が直流負荷である場合にはコンバータで得られた直流電源を負荷に供給する。直流負荷は、例えば、足元灯の光源や保安灯の光源等である。負荷が足元灯や保安灯等の光源（直流負荷）である場合にはモジュール本体に組み込まれる。一方、負荷が交流負荷である場合には交流負荷に商用交流電源を供給するためのコンセントをモジュール本体に組み込む。
【００１２】
第２の連用配線器具用モジュールは、第１の連用配線器具用モジュールのコネクタ（雌型コネクタ）に接続されるコネクタ（雄型コネクタ）を有する。雄型コネクタはモジュール本体の上面部または下面部に設けられる。第２の連用配線器具用モジュールには、雄型コネクタだけを有したものだけでなく、雄型コネクタ及び雌型コネクタの双方を備えたものも含む。例えば、雄型コネクタをモジュール本体の上面部に設けたときは、雌型コネクタはモジュール本体の下面部に設ける。これにより、第２の連用配線器具用モジュールを連続的に直列にコネクタで接続できるようにしている。制御要素とは、第１の連用配線器具用モジュールの負荷を制御するものであり、例えば、照度センサ、人感センサ、調光器、スイッチ等である。また、第２の連用配線器具用モジュールが連続的に直列に接続された場合には、下流側の第２の連用配線器具用モジュールの制御要素は上流側の第２の連用配線器具用モジュールの制御要素の動作を制御することになる。例えば、上流側の第２の連用配線器具用モジュールの制御要素が照度センサであり、下流側の第２の連用配線器具用モジュールの制御要素がスイッチである場合には、下流側のスイッチは上流側の照度センサの動作不動作の入切を行うことになる。
【００１３】
本発明によれば、第１の連用配線器具用モジュールで直流電源を得て、コネクタを介して直流電源を第２の連用配線器具用モジュールに供給できるので、第１の連用配線器具用モジュールに対して、後から第２の連用配線器具用モジュールを接続することが可能となり、使用条件に合わせて負荷を制御する制御要素の追加や削除が容易に行える。
【００１４】
請求項２の発明に係わる連用配線器具用モジュールは、連用配線器具のサポートに取り付けられるモジュール本体と；前記モジュール本体に設けられ商用交流電源を直流電源に変換するコンバータと；前記モジュール本体の上面または下面に設けられ前記コンバータの直流電源を取り出すコネクタと；を備え、前記商用交流電源または前記直流電源から負荷に電源を供給することを特徴とする。
【００１５】
本発明は、請求項１の発明の第１の連用配線器具用モジュールを単体で特定したものである。商用交流電源を直流電源に変換し、その変換した直流電源を一体的に組み込まれた直流負荷（例えば足元灯）に供給する場合には、その第１の連用配線器具用モジュールは、単体でも使用可能である。
【００１６】
請求項３の発明に係わる連用配線器具用モジュールは、連用配線器具のサポートに取り付けられるモジュール本体と；前記モジュール本体の上面または下面に設けられたコネクタと；前記コネクタを介して入力される直流電源により動作可能状態となる制御要素と；を備えたことを特徴とする。
【００１７】
本発明は、請求項１の発明の第２の連用配線器具用モジュールを単体で特定したものである。第２の連用配線器具用モジュールは、第１の連用配線器具用モジュールから直流電源の供給を受けて動作するので、第１の連用配線器具用モジュールの存在が前提となるが、第２の連用配線器具用モジュールの単体を後で追加する場合には、第１の連用配線器具用モジュールと一体となっている必要はない。制御要素が異なる第２の連用配線器具用モジュールを使用目的に応じて単体で選択し追加することになる。
【００１８】
請求項４の発明に係わる足元灯装置は、連用配線器具のサポートに取り付けられ、商用交流電源を直流電源に変換するコンバータを内蔵し、コンバータからの直流電源を取り出すためのコネクタを上面部または下面部に有し、前記直流電源から光源に電源を供給する足元灯モジュールと；前記足元灯モジュールのコネクタに着脱可能に接続されるコネクタを上面部または下面部に有し、前記コネクタから直流電源が供給され前記足元灯モジュールの光源への電源供給をオンオフ制御する照度センサモジュールと；を備えたことを特徴とする。
【００１９】
本発明は、請求項１の発明を足元灯装置として構成したものである。足元灯装置として構成するにあたり、第１の連用配線器具用モジュールとして直流電源で点灯する光源を有した足元灯モジュールとし、第２の連用配線器具用モジュールとして足元灯モジュールの光源を点消灯させる照度センサモジュールとしている。
【００２０】
本発明によれば、照度センサを一体化した照度センサモジュールの着脱が後で可能となるので、使用条件に合わせて足元灯モジュールの光源を点消灯させる照度センサモジュールの追加や削除が容易に行える
【発明の効果】
【００２１】
請求項１、請求項２及び請求項３の発明によれば、第１の連用配線器具用モジュールで直流電源を得て、コネクタを介して直流電源を第２の連用配線器具用モジュールに供給できるので、第１の連用配線器具用モジュールに対して、後から第２の連用配線器具用モジュールを接続することが可能となり、使用条件に合わせて負荷を制御する制御要素の追加や削除が容易に行える。
【００２２】
請求項４の発明によれば、照度センサを一体化した照度センサモジュールの着脱が後で可能となるので、使用条件に合わせて足元灯モジュールの光源を点消灯させる照度センサモジュールの追加や削除が容易に行える。
【発明を実施するための最良の形態】
【００２３】
（第１の実施の形態）
図１は本発明の実施の形態に係わる連用配線器具用組合せモジュールを連用配線器具のサポートに装着した平面図である。図１では１連の連用配線器具を示しており、その正面を覆う前面パネルの図示を省略している。
【００２４】
連用配線器具１１のサポート１２は壁面に取り付けられ、このサポート１２に２個の連用配線器具用モジュール１３ａ、１３ｂが連続的に壁面に埋め込まれて装着され、連用配線器具用組合せモジュール１４を形成している。図１では、連用配線器具用組合せモジュール１４の第１の連用配線器具用モジュール１３ａは電気的な直流負荷として光源１５を搭載した足元灯モジュールであり、第２の連用配線器具用モジュール１３ｂは直流負荷である光源１５を点消灯させるための制御要素である照度センサ１６を搭載したモジュールである場合を示している。
【００２５】
図２は、第１の連用配線器具用モジュール１３ａの回路構成図である。第１の連用配線器具用モジュール１３ａは、商用交流電源１７を直流電源に変換するコンバータ１８を有し、コンバータ１８からの直流電源を取り出すためのコネクタ１９を有する。このコネクタ１９は、後述するように雌型コネクタである。また、コンバータ１８で得られた直流電源は直流負荷である光源１５にも供給される。
【００２６】
図３は第１の連用配線器具用モジュール１３ａの説明図であり、図３（ａ）は斜視図、図３（ｂ）は背面図である。図３（ａ）に示すように、第１の連用配線器具用モジュール１３ａは、モジュール本体２０の正面に光源１５が取り付けられており、モジュール本体２０の側面部にはサポート１２への取付金具２１が設けられている。
【００２７】
また、図３（ｂ）に示すように、第１の連用配線器具用モジュール１３ａの背面には、商用交流電源を取り込むための交流端子差込穴２２ａ、２２ｂが設けられており、このコネクタ２２ａ、２２ｂを介して商用交流電源が連用配線器具用モジュール１３ａに取り込まれる。また、第１の連用配線器具用モジュール１３ａの下面部には、コンバータで得られた直流電源を取り出すための雌型コネクタ１９が設けられている。雌型コネクタ１９を第１の連用配線器具用モジュール１３ａの下面部に設けたのは、交流端子差込穴２２ａ、２２ｂとの混同を避けるためであり、また、後述するように、複数個の第２の連用配線器具用モジュール１３ｂを連続的に直列に接続できるようにするためである。
【００２８】
図４は第２の連用配線器具用モジュール１３ｂの説明図であり、図４（ａ）は斜視図、図４（ｂ）は背面図である。図４（ａ）に示すように、第２の連用配線器具用モジュール１３ｂは、モジュール本体２０の正面に照度センサ１６が取り付けられており、モジュール本体２０の側面部にはサポート１２への取付金具２１が設けられている。また、モジュール本体２０の上面部には、第１の連用配線器具用モジュール１３ａの雌型コネクタ１９に接続される雄型コネクタ２３が設けられている。
【００２９】
ここで、第２の連用配線器具用モジュール１３ｂには、雄型コネクタ２３だけを有したものだけでなく、雄型コネクタ２３及び雌型コネクタ１９の双方を備えるようにしてもよい。例えば、雄型コネクタ２３をモジュール本体２０の上面部に設けたときは、雌型コネクタ１９は、図４（ｂ）に示すように、モジュール本体の下面部に設ける。これにより、複数個の第２の連用配線器具用モジュール１３ｂを連続的に直列に雌型コネクタ１９及び雄型コネクタ２３で接続できるようにしている。
【００３０】
以上の説明では、第２の連用配線器具用モジュール１３ｂに搭載される制御要素として、照度センサ１６である場合について説明したが、人感センサ、調光器、スイッチ等を用いてもよい。また、第１の連用配線器具用モジュール１３ａ及び第２の連用配線器具用モジュール１３ｂを組み合わせた連用配線器具用組合せモジュール１４の場合について説明したが、第１の連用配線器具用モジュール１３ａを単独で用いるようにしてもよい。
【００３１】
図５は本発明の実施の形態に係わる１個の第１の連用配線器具用モジュール１３ａを連用配線器具１１のサポート１２に装着した平面図である。第１の連用配線器具用モジュール１３ａはコンバータ１８を有しており、商用交流電源を直流電源に変換し、その変換した直流電源を一体的に組み込まれた光源１５に供給する。その場合、第２の連用配線器具用モジュール１３ｂの装着がないので、例えば、照度センサ１６からの光源１５の点消灯の制御がない。従って、光源１５は連続点灯となる。
【００３２】
この場合、後に制御要素として照度センサ１６を搭載した第２の連用配線器具用モジュール１３ｂを取り付けることができる。すなわち、第１の連用配線器具用モジュール１３ａをサポート１２から取り外して、第１の連用配線器具用モジュール１３ａの雌型コネクタ１９に第２の連用配線器具用モジュール１３ｂの雄型コネクタ２３に挿入して一体化する。そして、それぞれの取付金具２１でサポート１２に取り付ける。これにより、後で第２の連用配線器具用モジュール１３ｂを追加することができる。
【００３３】
図６は本発明の実施の形態に係わる連用配線器具用組合せモジュール１４にさらに第２の連用配線器具用モジュール１３ｂ’を追加して連用配線器具１１のサポート１２に装着した平面図である。
【００３４】
図６に示すように、第１の連用配線器具用モジュール１３ａ及び第２の連用配線器具用モジュール１３ｂを雌型コネクタ１９及び雄型コネクタ２３で接続して、連用配線器具用組合せモジュール１４を形成し、さらに、第２の連用配線器具用モジュール１３ｂに別の第２の連用配線器具用モジュール１３ｂ’を雌型コネクタ１９及び雄型コネクタ２３で接続し、サポート１２に取り付ける。第１の連用配線器具用モジュール１３ａは光源１５を搭載したモジュールであり、第２の連用配線器具用モジュール１３ｂは光源１５を点消灯させるための照度センサ１６を搭載し、別の第２の連用配線器具用モジュール１３ｂ’は照度センサ１６の動作不動作の入切を行うスイッチ２４を搭載している。
【００３５】
このように、第２の連用配線器具用モジュール１３ｂ、１３ｂ’が連続的に直列に接続された場合には、下流側の第２の連用配線器具用モジュール１３ｂ’の制御要素であるスイッチ２４は上流側の第２の連用配線器具用モジュール１３ｂの制御要素である照度センサ１６の動作不動作の入切を行うように構成できる。
【００３６】
図７は本発明の実施の形態に係わる連用配線器具用組合せモジュール１４の第１の連用配線器具用モジュール１３ａ’として、商用交流電源を交流負荷に供給するためのコンセント２５を搭載した連用配線器具用モジュール１３ａ’を示している。第１の連用配線器具用モジュール１３ａ’は交流負荷に商用交流電源を供給するためのコンセント２５が搭載され、第２の連用配線器具用モジュール１３ｂは周囲の照度によってコンセント２５に接続された交流負荷のオンオフ制御を行う照度センサ１６が搭載されている。
【００３７】
図８は、コンセント２５を搭載した第１の連用配線器具用モジュール１３ａ’の回路構成図である。第１の連用配線器具用モジュール１３ａ’は、商用交流電源１７を直流電源に変換するコンバータ１８を有し、コンバータ１８からの直流電源を取り出すための雌型コネクタ１９を有する。そして、商用交流電源１７がコンセント２５に接続され、コンセント２５から交流負荷に商用交流電源を供給できるようになっている。
【００３８】
このような連用配線器具１１の第１の連用配線器具用モジュール１３ａ’のコンセント２５に、例えばスタンド型の照明装置（交流負荷）を接続した場合には、第２の連用配線器具用モジュール１３ｂの照度センサ１６が周囲の照度に応じてその照明装置の点消灯を制御することになる。
【００３９】
図９は、図７に示した連用配線器具用組合せモジュール１４にさらに第２の連用配線器具用モジュール１３ｂ’を追加して連用配線器具１１のサポート１２に装着した平面図である。
【００４０】
図９に示すように、第１の連用配線器具用モジュール１３ａ’及び第２の連用配線器具用モジュール１３ｂを雌型コネクタ１９及び雄型コネクタ２３で接続して、連用配線器具用組合せモジュール１４を形成し、さらに、第２の連用配線器具用モジュール１３ｂに別の第２の連用配線器具用モジュール１３ｂ’を雌型コネクタ１９及び雄型コネクタ２３で接続し、サポート１２に取り付ける。第１の連用配線器具用モジュール１３ａ’はコンセント２５を搭載したモジュールであり、第２の連用配線器具用モジュール１３ｂはコンセント２５に接続される交流負荷を周囲の照度に応じてオンオフ制御するための照度センサ１６を搭載し、別の第２の連用配線器具用モジュール１３ｂ’は照度センサ１６の動作不動作の入切を行うスイッチ２４を搭載している。
【００４１】
例えばスタンド型の照明装置（交流負荷）をコンセント２５に接続した場合には、第２の連用配線器具用モジュール１３ｂの照度センサ１６が周囲の照度に応じてその照明装置の点消灯を制御することになるが、スイッチ２４をオフにしておくと、照度センサ１６の動作を停止できる。
【００４２】
以上述べたように、本発明の実施の形態によれば、第１の連用配線器具用モジュール１３ａには商用交流電源が入力され、コンバータ１８で直流電源に変換して、コネクタを介して第２の連用配線器具用モジュール１３ｂに直流電源を供給するので、第１の連用配線器具用モジュール１３ａだけが装着された連用配線器具に対して、後付けで第２の連用配線器具用モジュールを容易に接続できる。逆に、第１の連用配線器具用モジュール１３ａ及び第２の連用配線器具用モジュール１３ｂの双方が装着された連用配線器具に対して、後に第２の連用配線器具用モジュール１３ｂを取り外すこともできる。
【図面の簡単な説明】
【００４３】
【図１】本発明の実施の形態に係わる連用配線器具用組合せモジュールを連用配線器具のサポートに装着した平面図。
【図２】本発明の実施の形態における第１の連用配線器具用モジュールの回路構成図。
【図３】本発明の実施の形態における第１の連用配線器具用モジュールの説明図。
【図４】本発明の実施の形態における第２の連用配線器具用モジュールの説明図。
【図５】本発明の実施の形態における１個の第１の連用配線器具用モジュールを連用配線器具のサポートに装着した平面図。
【図６】本発明の実施の形態に係わる連用配線器具用組合せモジュールにさらに第２の連用配線器具用モジュールを追加して連用配線器具のサポートに装着した平面図。
【図７】本発明の実施の形態に係わる連用配線器具用組合せモジュールの第１の連用配線器具用モジュールとして、商用交流電源を交流負荷に供給するためのコンセントを搭載した連用配線器具用モジュールをサポートに装着した平面図。
【図８】本発明の実施の形態におけるコンセントを搭載した連用配線器具用モジュールの回路構成図。
【図９】図７に示した連用配線器具用組合せモジュールにさらに第２の連用配線器具用モジュールを追加して連用配線器具のサポートに装着した平面図。
【符号の説明】
【００４４】
１１…連用配線器具、１２…サポート、１３…連用配線器具用モジュール、１４…連用配線器具用組合せモジュール、１５…光源、１６…照度センサ、１７…商用交流電源、１８…コンバータ、１９…雌型コネクタ、２０…モジュール本体、２１…取付金具、２２…交流端子差込穴、２３…雄型コネクタ、２４…スイッチ、２５…コンセント
【図１】
2006230107.tif 000003
【図２】
2006230107.tif 000004
【図３】
2006230107.tif 000005
【図４】
2006230107.tif 000006
【図５】
2006230107.tif 000007
【図６】
2006230107.tif 000008
【図７】
2006230107.tif 000009
【図８】
2006230107.tif 000010
【図９】
2006230107.tif 000011